(57)【要約】【課題】ダイヤル発信の相手先電話装置が、着信応答後にパーソナルＩＤ等をＤＴＭＦ信号にて入力することが必要とされる場合においても、その電話装置に対しパーソナルＩＤ等を含めたリダイヤルを適切におこなうことができる電話装置及び構内交換機を提供することを目的とする。【解決手段】入力されたダイヤル情報を順次リダイヤルテーブル１７ａに記憶すると共に、回線接続応答を検出するとマーク情報をリダイヤルテーブル１７ａに記憶し、その後さらにダイヤル情報が入力された場合に、通話を終了するまで、ダイヤル情報を順次記憶手段に記憶し、リダイヤル要求が行われたとき、リダイヤルテーブル１７ａに記憶されたダイヤル情報のうちマーク情報までのダイヤル情報はデジタル通信回線の制御チャネルに出力し、マーク情報以降のダイヤル情報は、デジタル通信回線からの回線接続応答を検出した後に、デジタル通信回線の音声チャネルに出力するようにした。【選択図】  図１
2004282337.tif 000002
【特許請求の範囲】
【請求項１】
少なくとも制御チャネル及び音声チャネルからなるデジタル通信回線に接続できる電話装置であって、
入力手段により入力されたダイヤル情報を順次記憶手段に記憶するとともに、前記デジタル通信回線からの回線接続応答を検出すると所定の情報を前記記憶手段に記憶し、その後さらに前記入力手段によりダイヤル情報が入力された場合に、通話を終了するまで、該ダイヤル情報を順次前記記憶手段に記憶するダイヤル情報記憶制御手段と、
前記入力手段からリダイヤル要求が行われたとき、前記記憶手段に記憶されたダイヤル情報のうち、前記所定の情報までに記憶したダイヤル情報はデジタル通信回線の制御チャネルに出力し、前記所定の情報以降に記憶したダイヤル情報は、デジタル通信回線からの回線接続応答を検出した後に、前記デジタル通信回線の音声チャネルに出力するリダイヤル制御手段とを備えたことを特徴とする電話装置。
【請求項２】
前記デジタル通信回線の音声チャネルに出力するダイヤル情報がＤＴＭＦ信号であることを特徴とする請求項１記載の電話装置。
【請求項３】
ダイヤル情報とあて先情報とを関連付けて記憶した電話帳を備え、前記入力手段から入力があると、前記ダイヤル情報記憶制御手段が該ダイヤル情報とあて先情報とを前記電話帳に登録することを特徴とする請求項１または２に記載の電話装置。
【請求項４】
前記デジタル通信回線からの回線接続応答を検出した後に前記入力手段によって入力されたダイヤル情報に対して、前記ダイヤル情報記憶制御手段が該ダイヤル情報を前記記憶手段に記憶するか否かの条件を記憶するダイヤル記憶条件記憶手段が設けられたことを特徴とする請求項１〜３のいずれかに記載の電話装置。
【請求項５】
アナログ通信回線に接続するためのアナログ外線インターフェイスを備え、前記リダイヤル制御手段が前記アナログ外線インターフェイスからダイヤル情報を出力する場合には、所定の情報以降に記憶したダイヤル情報を出力しないことを特徴とする請求項１〜４のいずれかに記載の電話装置。
【請求項６】
内線電話機を接続可能な構内交換機であって、
内線電話機を接続するための内線インターフェイスと、
少なくとも制御チャネル及び音声チャネルからなるデジタル通信回線に接続するためのデジタル外線インターフェイスと、
前記内線インターフェイスを介して内線電話機から送信されるダイヤル情報を受信するダイヤル受信手段と、
前記ダイヤル受信手段により受信したダイヤル情報に対応するダイヤル信号を前記デジタル外線インターフェイスから前記制御チャネルに出力する第１のダイヤル信号送出手段と、
前記ダイヤル受信手段により受信したダイヤル情報に対応するダイヤル信号を前記デジタル外線インターフェイスから前記音声チャネルに出力する第２のダイヤル送出手段と、
前記デジタル外線インターフェイスにより外線を捕捉し、前記ダイヤル信号送出手段からダイヤル信号した後、前記デジタル通信回線から回線接続応答があったか否かを検出する回線接続応答検出手段と、
前記回線接続応答検出手段が前記回線接続応答を検出すると、前記内線電話電話機と前記デジタル通信回線の音声チャネルとを接続するスイッチ制御手段と、前記ダイヤル受信手段により受信したダイヤル情報を順次記憶手段に記憶するとともに、前記回線接続応答検出手段によりデジタル通信回線からの応答を検出すると所定の情報を前記記憶手段に記憶し、その後さらに前記ダイヤル受信手段によりダイヤル信号を受信した場合に、該受信したダイヤル情報を、前記ダイヤル信号を送出した内線電話機が通話を終了するまで、順次前記記憶手段に記憶するダイヤル情報記憶制御手段と、
前記内線電話機で所定の入力操作が行われた場合に、前記ダイヤル情報記憶制御手段が記憶したダイヤル情報のうち、前記所定の情報までに記憶したダイヤル情報は、第１のダイヤル信号送出手段によって前記デジタル通信回線の制御チャネルに出力し、前記所定の情報以降に記憶したダイヤル情報は前記回線接続応答検出手段によりデジタル通信回線からの応答を検出した後に、第２のダイヤル信号送出手段によって前記デジタル通信回線の音声チャネルに出力させるように制御するリダイヤル制御手段とを備えたことを特徴とする構内交換機。
【請求項７】
前記第２のダイヤル信号送出手段は、前記所定の情報以降に記憶したダイヤル情報をＤＴＭＦに変換して前記デジタル通信回線の音声チャネルに出力することを特徴とする請求項６記載の構内交換機。
【請求項８】
前記第２のダイヤル送信出力手段によりダイヤル情報を出力するタイミングを設定するタイミング設定手段と、
前記リダイヤル制御手段は、前記回線接続応答検出手段によりデジタル通信回線からの応答を検出後、前記タイミング設定手段により設定されたタイミングに基づいて、前記所定の情報以降に記憶されたダイヤル情報を前記第２のダイヤル信号送出手段によって前記デジタル通信回線の音声チャネルに出力させること特徴とする請求項６または７に記載された構内交換機。
【請求項９】
前記回線接続応答検出手段がデジタル通信回線からの回線接続応答を検出した後に前記ダイヤル受信手段が受信したダイヤル情報に対して、前記ダイヤル情報記憶制御手段が該ダイヤル情報を前記記憶手段に記憶するか否かの条件を記憶するダイヤル記憶条件記憶手段が設けられたことを特徴とする請求項６〜８のいずれかに記載の構内交換機。
【請求項１０】
アナログ通信回線に接続するためのアナログ外線インターフェイスを備え、前記リダイヤル制御手段が前記アナログ外線インターフェイスからダイヤル情報を出力する場合には、所定の情報以降に記憶したダイヤル情報を出力しないことを特徴とする請求項６〜９のいずれかに記載の構内交換機。
【請求項１１】
前記リダイヤル制御手段は、前記記憶手段に記憶したダイヤル情報のうち前記所定の情報より前に記憶したダイヤル情報を前記アナログ外線インターフェイスから出力した後に内線電話機から所定の操作があった場合には、前記所定の情報以降に記憶したダイヤル情報を出力することを特徴とする請求項１０記載の構内交換機。
【発明の詳細な説明】
【０００１】
【発明の属する技術分野】
本発明は、リダイヤル機能を有するボタン電話装置や構内交換機などの電話装置、とくに構内交換機に関するものである。
【０００２】
【従来の技術】
従来から、電話回線にダイヤル発信した番号を蓄積しておき、その蓄積した情報を用いて、再度同じ番号にダイヤル発信することができるリダイヤル機能を有している電話装置があった（例えば、特許文献１参照）。
【０００３】
【特許文献１】
特開平１―４９４６３号公報
【０００４】
【発明が解決しようとする課題】
しかしながら上記従来の電話装置では、ダイヤル発信の相手先電話装置が、着信応答後にパーソナルＩＤ等をＤＴＭＦ信号にて入力することが必要とされる場合には、蓄積したダイヤル情報をそのまま連続して電話回線に送信しても、相手先電話装置が着信応答するまでに、そのダイヤル情報が出力されてしまい、着信応答後にＤＴＭＦ信号にて入力することが必要なパーソナルＩＤ等を相手先電話装置で受信することができないという課題があった。
【０００５】
本発明は、上記従来の課題に鑑み、ダイヤル発信の相手先電話装置が、着信応答後にパーソナルＩＤ等をＤＴＭＦ信号にて入力することが必要とされる場合においても、その電話装置に対しパーソナルＩＤ等を含めたリダイヤルを適切におこなうことができる電話装置及び構内交換機を提供することを目的とする。
【０００６】
【課題を解決するための手段】
本発明は上記従来の課題を解決するために、少なくとも制御チャネル及び音声チャネルからなるデジタル通信回線に接続できる電話装置であって、入力手段により入力されたダイヤル情報を順次記憶手段に記憶するとともに、デジタル通信回線からの回線接続応答を検出すると所定の情報を記憶手段に記憶し、その後さらに入力手段によりダイヤル情報が入力された場合に、通話を終了するまで、該ダイヤル情報を順次記憶手段に記憶するダイヤル情報記憶制御手段と、入力手段からリダイヤル要求が行われたとき、記憶手段に記憶されたダイヤル情報のうち、所定の情報までに記憶したダイヤル情報はデジタル通信回線の制御チャネルに出力し、所定の情報以降に記憶したダイヤル情報は、デジタル通信回線からの回線接続応答を検出した後に、デジタル通信回線の音声チャネルに出力するリダイヤル制御手段とを備えた構成とする。
【０００７】
これにより、ダイヤル発信の相手先電話装置が、着信応答後にパーソナルＩＤ等をＤＴＭＦ信号にて入力することが必要とされる場合においても、その電話装置に対しパーソナルＩＤ等を含めたリダイヤルを適切におこなうことができる電話装置及び構内交換機を提供することができるようになった。
【０００８】
【発明の実施の形態】
本発明の第１の発明は、少なくとも制御チャネル及び音声チャネルからなるデジタル通信回線に接続できる電話装置であって、入力手段により入力されたダイヤル情報を順次記憶手段に記憶するとともに、デジタル通信回線からの回線接続応答を検出すると所定の情報を記憶手段に記憶し、その後さらに入力手段によりダイヤル情報が入力された場合に、通話を終了するまで、該ダイヤル情報を順次記憶手段に記憶するダイヤル情報記憶制御手段と、入力手段からリダイヤル要求が行われたとき、記憶手段に記憶されたダイヤル情報のうち、所定の情報までに記憶したダイヤル情報はデジタル通信回線の制御チャネルに出力し、所定の情報以降に記憶したダイヤル情報は、デジタル通信回線からの回線接続応答を検出した後に、デジタル通信回線の音声チャネルに出力するリダイヤル制御手段とを備えたことを特徴とする電話装置であり、電話回線に発信する際に入力されたダイヤル情報と、電話回線に発信後、発信先相手が応答して回線が接続された後に入力されたダイヤル情報とを区別して登録でき、回線接続後に入力されたダイヤル情報は、リダイヤルするときは回線接続後に送信されることになるが、回線接続後のダイヤル情報を別に取り出すことができるため、ダイヤル発信の相手先電話装置が、着信応答後にパーソナルＩＤ等をＤＴＭＦ信号にて入力するようなことが必要とされる場合においても、その電話装置に対しパーソナルＩＤ等を含めたリダイヤルを適切に行うことができるという作用を有する。
【０００９】
本発明の第２の発明は、第１の発明において、デジタル通信回線の音声チャネルに出力するダイヤル情報がＤＴＭＦ信号であることを特徴とする電話装置であり、相手先がボイスメールやインターネット網等の二次のキャリアであって、これら二次のキャリアから接続後に要求されるパスワードやその他の情報のように、ＤＴＭＦ信号として送信することが必要な場合にも適切に対応できるという作用を有する。
【００１０】
本発明の第３の発明は、第１のまたは２発明において、ダイヤル情報とあて先情報とを関連付けて記憶した電話帳を備え、入力手段から入力があると、ダイヤル情報記憶制御手段が該ダイヤル情報とあて先情報とを電話帳に登録することを特徴とする電話装置であり、ダイヤル発信の通話が終了した後、その発信したときのダイヤル情報を電話帳に登録したいときに、リダイヤルテーブルから取り出すことができるので、利用者の利便性を高めることができるという作用を有する。
【００１１】
本発明の第４の発明は、第１から３のいずれかの発明において、デジタル通信回線からの回線接続応答を検出した後に入力手段によって入力されたダイヤル情報に対して、ダイヤル情報記憶制御手段が該ダイヤル情報を記憶手段に記憶するか否かの条件を記憶するダイヤル記憶条件記憶手段が設けられたことを特徴とする電話装置であり、回線接続応答後にダイヤル情報を入力することがないような内線電話機の利用者は、回線接続応答を検出した後のダイヤル情報をリダイヤルテーブルに登録しないように内線電話機を設定しておきさえすれば、デジタル通信回線からの回線接続応答を検出した後に誤って入力手段によりダイヤル情報が入力されても、リダイヤル時にそのダイヤルが送信されることがないから、通話相手が応答後にダイヤルが送出するようなことがないという作用を有する。
【００１２】
本発明の第５の発明は、第１から４のいずれかの発明において、アナログ通信回線に接続するためのアナログ外線インターフェイスを備え、リダイヤル制御手段がアナログ外線インターフェイスからダイヤル情報を出力する場合には、所定の情報以降に記憶したダイヤル情報を出力しないことを特徴とする電話装置であり、回線接続応答がこないアナログ電話回線に対し、余計なダイヤル情報が送出されないという作用を有する。
【００１３】
本発明の第６の発明は、内線電話機を接続可能な構内交換機であって、内線電話機を接続するための内線インターフェイスと、少なくとも制御チャネル及び音声チャネルからなるデジタル通信回線に接続するためのデジタル外線インターフェイスと、内線インターフェイスを介して内線電話機から送信されるダイヤル情報を受信するダイヤル受信手段と、ダイヤル受信手段により受信したダイヤル情報に対応するダイヤル信号をデジタル外線インターフェイスから制御チャネルに出力する第１のダイヤル信号送出手段と、ダイヤル受信手段により受信したダイヤル情報に対応するダイヤル信号をデジタル外線インターフェイスから音声チャネルに出力する第２のダイヤル送出手段と、デジタル外線インターフェイスにより外線を捕捉し、ダイヤル信号送出手段からダイヤル信号した後、デジタル通信回線から回線接続応答があったか否かを検出する回線接続応答検出手段と、回線接続応答検出手段が回線接続応答を検出すると、内線電話電話機とデジタル通信回線の音声チャネルとを接続するスイッチ制御手段と、ダイヤル受信手段により受信したダイヤル情報を順次記憶手段に記憶するとともに、回線接続応答検出手段によりデジタル通信回線からの応答を検出すると所定の情報を記憶手段に記憶し、その後さらにダイヤル受信手段によりダイヤル信号を受信した場合に、該受信したダイヤル情報を、ダイヤル信号を送出した内線電話機が通話を終了するまで、順次記憶手段に記憶するダイヤル情報記憶制御手段と、内線電話機で所定の入力操作が行われた場合に、ダイヤル情報記憶制御手段が記憶したダイヤル情報のうち、所定の情報までに記憶したダイヤル情報は、第１のダイヤル信号送出手段によってデジタル通信回線の制御チャネルに出力し、所定の情報以降に記憶したダイヤル情報は回線接続応答検出手段によりデジタル通信回線からの応答を検出した後に、第２のダイヤル信号送出手段によってデジタル通信回線の音声チャネルに出力させるように制御するリダイヤル制御手段とを備えたことを特徴とする構内交換機であり、電話回線に発信する際に入力されたダイヤル情報と、電話回線に発信後、発信先相手が応答して回線が接続された後に入力されたダイヤル情報とを区別して登録でき、回線接続後に入力されたダイヤル情報は、リダイヤルするときは回線接続後に送信されることになるが、回線接続後のダイヤル情報を別に取り出すことができるため、ダイヤル発信の相手先電話装置が、着信応答後にパーソナルＩＤ等をＤＴＭＦ信号にて入力するようなことが必要とされる場合においても、その電話装置に対しパーソナルＩＤ等を含めたリダイヤルを適切におこなうことができるという作用を有する。
【００１４】
本発明の第７の発明は、第６の発明において、第２のダイヤル信号送出手段は、所定の情報以降に記憶したダイヤル情報をＤＴＭＦに変換してデジタル通信回線の音声チャネルに出力することを特徴とする構内交換機であり、相手先がボイスメールやインターネット網等の二次のキャリアであって、これら二次のキャリアから接続後に要求されるパスワードやその他の情報のように、ＤＴＭＦ信号として送信することが必要な場合にも適切に対応できるという作用を有する。
【００１５】
本発明の第８の発明は、第６のまたは７発明において、第２のダイヤル送信出力手段によりダイヤル情報を出力するタイミングを設定するタイミング設定手段と、リダイヤル制御手段は、回線接続応答検出手段によりデジタル通信回線からの応答を検出後、タイミング設定手段により設定されたタイミングに基づいて、所定の情報以降に記憶されたダイヤル情報を第２のダイヤル信号送出手段によってデジタル通信回線の音声チャネルに出力させること特徴とする構内交換機であり、相手先電話装置が着信応答後パスワード等のダイヤル情報の入力可能になるまでの時間に、回線接続応答後のダイヤル送出時間を調整することができるから、着信応答後パスワード等のダイヤル情報の入力可能になるまでの時間が異なる電話装置に対しても対応することができるという作用を有する。
【００１６】
本発明の第９の発明は、第６から８のいずれかの発明において、回線接続応答検出手段がデジタル通信回線からの回線接続応答を検出した後にダイヤル受信手段が受信したダイヤル情報に対して、ダイヤル情報記憶制御手段が該ダイヤル情報を記憶手段に記憶するか否かの条件を記憶するダイヤル記憶条件記憶手段が設けられたことを特徴とする構内交換機であり、回線接続応答後にダイヤル情報を入力することがないような内線電話機の利用者は、回線接続応答を検出した後のダイヤル情報をリダイヤルテーブルに登録しないように内線電話機を設定しておくことにより、デジタル通信回線からの回線接続応答を検出した後に誤って入力手段によりダイヤル情報が入力されても、リダイヤル時にそのダイヤルが送信されることがないから、通話相手が応答後にダイヤルが送出するようなことがないという作用を有する。
【００１７】
本発明の第１０の発明は、第６から９のいずれかの発明において、アナログ通信回線に接続するためのアナログ外線インターフェイスを備え、リダイヤル制御手段がアナログ外線インターフェイスからダイヤル情報を出力する場合には、所定の情報以降に記憶したダイヤル情報を出力しないことを特徴とする構内交換機であり、回線接続応答がこないアナログ電話回線に対し、余計なダイヤル情報が送出されないという作用を有する。
【００１８】
本発明の第１１の発明は、第１０の発明において、リダイヤル制御手段は、記憶手段に記憶したダイヤル情報のうち所定の情報より前に記憶したダイヤル情報をアナログ外線インターフェイスから出力した後に内線電話機から所定の操作があった場合には、所定の情報以降に記憶したダイヤル情報を出力することを特徴とする構内交換機であり、デジタル電話回線に発信した相手先ダイヤル情報、マーク情報及びダイヤル情報が記憶手段に登録され、リダイヤルのときに、回線接続応答がこないアナログ電話回線に対して発信することになった場合であっても、内線電話機の所定の操作により所定の情報（マーク信号）以降のダイヤル情報をアナログ外線に接続でき、デジタル外線インターフェイスとアナログ外線インターフェイスを混在させた空き外線発信の場合であっても、ダイヤル発信の相手先電話装置が、着信応答後にパーソナルＩＤ等をＤＴＭＦ信号で入力するようなことが必要とされる場合においても、その電話装置に対しパーソナルＩＤ等を含めたリダイヤルを適切におこなうことができるという作用を有する。
【００１９】
以下、本発明の実施の形態について、図面を参照しながら説明する。
【００２０】
（実施の形態１）
図１は本発明の実施の形態１における構内交換機の構成図、図２は本発明の実施の形態１における構内交換機のリダイヤルテーブルの内容を示す図である。
【００２１】
図１において、１は構内交換機、２，２ａ，・・，２ｎは内線電話装置である。なお、内線電話装置２は内線電話装置２ａ，・・，２ｎの総称とする。以下、構内交換機の内部構成について以下具体的に説明する。
【００２２】
１１はアナログ電話回線（本発明の実施の形態１のアナログ通信回線）との接続及び通信を行うアナログ外線インターフェイス、１２は制御チャネル及び音声チャネルから構成されるデジタル電話回線（本発明の実施の形態１のデジタル通信回線）との接続及び通信を行うデジタル外線インターフェイス、１３，１３ａ〜１３ｎは内線電話機を接続するための内線インターフェイスである。なお、内線インターフェイス１３は内線インターフェイス１３ａ〜１３ｎの総称とする。また１４は、アナログ外線インターフェイス１１，デジタル外線インターフェイス１２，内線インターフェイス１３間の音声信号の接続及び切断を行うためのスイッチ手段である。
【００２３】
１５は内線インターフェイスを介して内線電話機２の表示制御、機能制御、通話制御等を行う内線制御手段、１５ａはダイヤル受信手段ある。ダイヤル受信手段１５ａは内線制御手段１５において機能実現手段として構成される。ここで、ダイヤル受信手段１５ａは、内線インターフェイスは、１５を介して、内線電話機２から送信されるダイヤル情報を受信する機能を有する。
【００２４】
１６はアナログ外線インターフェイス１１やデジタル外線インターフェイス１２から電話回線への発信制御を行ったり、電話回線からアナログ外線インターフェイス１１やデジタル外線インターフェイス１２へ着信制御を行う外線制御手段であり、同じく機能実現手段としての第１のダイヤル送出手段１６ａ、第２のダイヤル送出手段１６ｂ、回線接続応答検出手段１６ｃ等が設けられている。
【００２５】
ここで、第１のダイヤル送出手段１６ａは、ダイヤル受信手段１５ａにより受信したダイヤル情報に対応するダイヤル信号をデジタル外線インターフェイス１２から、デジタル通信回線の制御チャネルに出力する機能を有する。第２のダイヤル送出手段１６ｂは、ダイヤル受信手段１６ａにより受信したダイヤル情報に対応するダイヤル信号を、ＤＴＭＦ信号として、アナログ外線インターフェイス１１を介してアナログ電話回線に、あるいはデジタル外線インターフェイス１２を介して、デジタル通信回線の音声チャネルに出力する機能を有する。
【００２６】
また、回線接続応答検出回路１６ｃは、外線制御手段１６により、デジタル外線インターフェイス１２により外線を捕捉し、第１のダイヤル信号送出手段１６ｂからダイヤル信号した後、デジタル通信回線から回線接続応答があったか否かを検出する機能を有する。
【００２７】
１７はプログラム，各種設定情報，リダイヤルテーブル１７ａ，電話帳１７ｂ等を記憶する記憶手段であり、このほかダイヤル記憶条件記憶手段１７ｃも記憶される。
【００２８】
まず、リダイヤルテーブル１７ａは、内線電話機２からリダイヤルを行うために、ダイヤル受信手段１５ａにより受信したダイヤル情報を記憶するものである。このリダイヤルテーブル１７ａは、内線電話機２がアナログ外線インターフェイス１１やデジタル外線インターフェイス１２を介して電話回線に発信したときに、ダイヤル情報記憶制御手段１８ｂによって、この発信したダイヤル番号等が登録されるものであり、また、内線電話機２のリダイヤルボタン（図示せず）が押下されると、構内交換機１の内線制御手段１５によりそのリダイヤルボタンの押下が検出され、このリダイヤルテーブル１７ｂから、リダイヤルボタンを押下した内線電話機のリダイヤルデータが取り出され、そのリダイヤルデータが、第１のダイヤル送出手段１６ａや第２のダイヤル送出手段１６ｂによりアナログ外線インターフェイス１１やデジタル外線インターフェイス１２を介して電話回線に送出される。
【００２９】
例えば、図２のようにリダイヤルテーブル１７ｂにリダイヤル情報が登録されているとすると、内線電話機１（「Ｔｅｌ１」）のリダイヤルボタンが押下されると、後述のリダイヤル制御手段１８ｃにより、このリダイヤルテーブル１７ｂが参照され、内線電話機１に対応するリダイヤルデータ（０９２４７７２１××Ｐ１２３４）及び後述する捕捉手段情報（図２参照）がリダイヤルテーブル１７ｂから取り出され、取り出した捕捉手段情報に基づいて、使用すべき外線インターフェイスを選択し、その後リダイヤルデータを選択された外線インターフェイスから出力されることになる。
【００３０】
次に、電話帳１７ｂは、ダイヤル情報とあて先情報とを関連付けて記憶した電話帳である。
【００３１】
また、ダイヤル記憶条件記憶手段１７ｃは、回線接続応答検出手段１６ｃがデジタル通信回線からの回線接続応答を検出した後にダイヤル受信手段１５ａによりダイヤル信号を受信したダイヤル情報を、ダイヤル情報記憶制御手段１８ｂによりリダイヤルテーブル１７ａに記憶するか否かの条件を記憶するものであり、このダイヤル記憶条件設定手段１８ｂの内容は、内線電話機２からの要求や構内交換機１に接続されたコンピュータ装置の設定画面から設定可能である。
【００３２】
１８は構内交換機全体を制御する制御手段であり、機能実現手段として、スイッチ制御手段１８ａ、ダイヤル情報記憶制御手段１８ｂ、リダイヤル制御手段１８ｃ、タイミング設定手段１８ｄ等が設けられている。
【００３３】
ここで、スイッチ制御手段１８ａは、回線接続応答検出手段１６ｃが回線接続応答を検出すると、内線電話電話機２とデジタル通信回線の音声チャネルとを接続する等の制御を行うものである。
【００３４】
ダイヤル情報記憶制御手段１８ｂは、ダイヤル受信手段１５ａにより受信したダイヤル情報を順次リダイヤルテーブル１７ａに記憶するとともに、回線接続応答検出手段１６ｃによりデジタル通信回線からの回線接続応答を検出するとマーク情報をリダイヤルテーブル１７ａに記憶し、その後さらにダイヤル受信手段１５ａによりダイヤル信号を受信した場合に、受信したダイヤル情報を、ダイヤル信号を送出した内線電話機２が通話を終了するまで、順次リダイヤルテーブル１７ａに記憶して、内線電話機２のリダイヤル情報とする機能を有する。
【００３５】
次にリダイヤル制御手段１８ｃは、内線電話機２に対しリダイヤルボタンの操作等によりリダイヤル発信の操作があった場合に、ダイヤル情報記憶制御手段１８ｂにより記憶したダイヤル情報のうちマーク情報（ダイヤル情報を所定の時点で区分するためマークする情報）までのダイヤル情報は、第１のダイヤル信号送出手段１６ａによりデジタル通信回線の制御チャネルに出力し、マーク情報以降のダイヤル情報は、回線接続応答検出手段１６ｃによりデジタル通信回線からの応答を検出した後に、第２のダイヤル信号送出手段１６ｂによりデジタル通信回線の音声チャネルに出力させるように制御する機能を有する。
【００３６】
タイミング設定手段１８ｄは、第２のダイヤル送信出力手段１６ｂによりダイヤル情報を出力するタイミングを設定する機能を有し、リダイヤル制御手段１８ｃは、回線接続応答検出手段１６ｃによりデジタル通信回線からの応答を検出後、このタイミング設定手段１８ｄにより設定されたタイミングに基づいて、マーク情報以降のダイヤル情報を第２のダイヤル信号送出手段１６ｂによりデジタル通信回線の音声チャネルに出力されることになる。
【００３７】
以上のように構成された構内交換機について、以下その動作を図３と図４のシーケンスチャートを用いて説明する。
【００３８】
図３は本発明の実施の形態１における構内交換機におけるリダイヤル情報の記憶時の動作を示すシーケンスチャートであり、図４は本発明の実施の形態１における構内交換機におけるリダイヤル発信時の動作を示すシーケンスチャートである。
【００３９】
まず、リダイヤル情報がリダイヤルテーブルにどのように登録されるかを図３のシーケンスチャートを用いて説明する。
【００４０】
内線電話機２の使用者が、内線電話機２に備えられた外線ボタンの操作した場合、また内線電話機２に備えられたテンキーの操作により外線発信特番（外線インターフェイス指定のための番号や空き外線捕捉番号等がある）が入力された場合等は、内線インターフェイス１３を介して、内線制御手段１５若しくはダイヤル受信手段１５ａによりその情報を受信する（Ｓ１）。
【００４１】
内線制御手段１５若しくはダイヤル受信手段１５ａで受信された情報は、制御手段１８の呼制御手段（図示しない）に通知される（Ｓ２）  。呼制御手段は、その情報が外線捕捉情報であることを識別し、リダイヤルテーブル１７ａに、外線発信した内線電話機に対応させて外線捕捉手段の情報（空き外線捕捉、デジタル空き外線捕捉、トランクグループ（ＴＲＧ）指定捕捉等）を登録（外線捕捉手段記憶処理）する（Ｓ３）。
【００４２】
なお、ここで、空き外線捕捉とは、予め内線電話機ごと等に設定された複数の外線インターフェイス（ＩＳＤＮ回線のように一つの外線インターフェイスに複数の通話チャネルを割り当てられるものについては、通話チャネルを意味する。以下同じ）のいずれかのうち、使用されていない外線インターフェイスを使用（捕捉）して電話回線に発信することを意味する。また、デジタル空き外線捕捉とは、上述の空き外線捕捉の一内容で、使用する外線インターフェイスを所定のデジタル外線インターフェイス１２に限定したものである。また、トランクグループ（ＴＲＧ）指定捕捉とは、トランクグループ番号をダイヤルすることにより、トランクグループ番号に対応する外線インターフェイスを使用（捕捉）して電話回線に発信することを意味する。
【００４３】
制御手段１８の呼制御手段は、受信した外線捕捉情報にしたがって、外線インターフェイスを選択し、外線制御手段１６に対し、外線捕捉要求を通知する（Ｓ４）。外線制御手段１６は外線捕捉要求が通知されると電話回線に対し、捕捉要求を行う（Ｓ５）。なお、この捕捉要求は、アナログ外線インターフェイス１１の場合には、ＤＣループを形成する（オフフック）ことにより行い、デジタル外線インターフェイス１２の場合には、捕捉要求（オフフック信号）を制御チャネルにのせてデジタル電話回線網に送信することにより行われる。
【００４４】
その後、内線電話機２から、内線電話機２に備えられたテンキーの操作により電話番号が入力されると、内線インターフェイス１３を介して、ダイヤル受信手段１５ａがその電話番号情報（ダイヤル情報）を受信し（Ｓ６）、制御手段１８に通知する（Ｓ７）  。制御手段１８はダイヤル情報記憶制御手段１８ｂを機能させ、リダイヤルテーブル１７ａのうち外線発信した内線電話機に対応した領域に、受信されたダイヤル情報を順次登録（相手番号ダイヤル記憶処理）する（Ｓ８）。なお、アナログ外線インターフェイス１１を捕捉している場合には、所定時間ダイヤル情報が内線電話機２から受信されないと判定したときには、内線電話機２からダイヤル送信が終了（電話番号の入力が終了）したと判断し、リダイヤルテーブル１７ａへの登録を終了し、後述のＳ１４〜Ｓ１６のステップの処理を行い、内線電話機２の表示手段に通話開始の表示を行う。
【００４５】
次に、制御手段１８は受信したダイヤル情報を外線制御手段１６の第１のダイヤル送出手段１６ａまたは第２のダイヤル送出手段１６ｂに通知する（Ｓ９）。ここで、第１のダイヤル送出手段１６ａと第２のダイヤル通知手段１６ｂに通知するかは、外線発信する外線インターフェイスの種別によって決定される。Ｓ４でアナログ外線インターフェイス１１により電話回線が捕捉されている場合には、第２のダイヤル送出手段１６ｂに通知され、デジタル外線インターフェイス１２により電話回線が捕捉されている場合には、第１のダイヤル送出手段１６ａに通知される。第１のダイヤル送出手段１６ａはデジタル外線インターフェイス１２を介して、デジタル電話回線の制御チャネルに制御手段１８から通知されたダイヤル情報を送信し、第２のダイヤル送出手段１６ｂは、制御手段１８から通知されたダイヤル情報をＤＴＭＦ信号に変換して、アナログ外線インターフェイス１１を介して、アナログ電話回線にＤＴＭＦ信号を送出する（Ｓ１０）。
【００４６】
電話回線にダイヤル情報が送信された後、内線電話機２からダイヤルした電話番号の相手先が応答すると、デジタル外線インターフェイス１２からの発信であれば、デジタル電話回線の制御チャネルにデジタル電話回線網から相手方が応答した旨の情報（以下「回線接続応答」とする）が通知され、回線接続応答検出手段１６ｃにて受信される（Ｓ１１）。そして、回線接続応答検出手段１６ｃからその回線接続応答の情報が制御手段１８に通知される（Ｓ１２）。制御手段１８は、回線接続応答の情報を受信すると、ダイヤル情報記憶制御手段１８ｂに、リダイヤルテーブル１７ａのうち外線発信した内線電話機に対応した領域にマーク情報を記憶するよう要求し、ダイヤル情報記憶制御手段１８ｂはその要求にしたがってマーク信号をリダイヤルテーブル１７ａに登録（マーク記憶処理）する（Ｓ１３）。回線接続応答の情報の通知を受けた制御手段１８は、内線制御手段１５に対し、通話開始の表示を行うように要求し（Ｓ１４）、内線制御手段１５は内線電話機２の表示手段に表示すべき情報（通話開始の情報）を内線電話機２に送信し、内線電話機２は送信された情報に従って表示手段に通話開始の表示を行う（Ｓ１５）。また制御手段１８は、スイッチ手段１４，デジタル外線インターフェイス１２，内線インターフェイス１３等を制御して、外線発信した内線電話機２と捕捉及びダイヤル出力したデジタル外線インターフェイス１２に接続したデジタル電話回線の通話チャネルとの間の通話路を接続する（Ｓ１６）。
【００４７】
デジタル電話回線網と内線電話機２との間の通話路が接続された後、内線電話機２の使用者が内線電話機２のテンキーを押下して、ダイヤル入力を行うと、入力されたダイヤル情報が、内線インターフェイス１３を介して、ダイヤル受信手段１５ａで受信される（Ｓ１７）。ダイヤル受信手段１５ａで受信されたダイヤル情報は、制御手段１８に通知される（Ｓ１８）。制御手段１８は、ダイヤル情報を受信すると、ダイヤル情報記憶制御手段１８ｂに、リダイヤルテーブル１７ａのうち外線発信した内線電話機に対応した領域に、受信したダイヤル情報を記憶するよう要求し、ダイヤル情報記憶制御手段  １８ｂはその要求にしたがって内線電話機２から送信されたダイヤル情報を順次リダイヤルテーブル１７ａに登録（ダイヤル記憶処理）する（Ｓ１９）。また、ダイヤル受信手段１５ａが受信したダイヤル情報が、ＤＴＭＦ信号出力機能を有しない内線電話機２であった場合、制御手段１８は受信したダイヤル情報を第２のダイヤル送信手段１５ｃに通知し（Ｓ２０）、第２のダイヤル送信手段は、受信したダイヤル情報をＤＴＭＦ信号に変換し、デジタル外線インターフェイス１２を介して、デジタル電話回線の音声チャネルに送信する（Ｓ２１）。なお、Ｓ１７で、内線電話機２から送信されたダイヤル情報がデジタル制御データではなく、ＤＴＭＦ信号であった場合、このＤＴＭＦ信号は、デジタル回線網と内線電話機２との間の通話路を通じて、デジタル電話回線の音声チャネルにそのまま送信されるため、Ｓ２０、Ｓ２１の処理は行われない。
【００４８】
その後、内線電話機２の使用者とデジタル電話回線網に接続された発信先の電話機の使用者との間で、通話が行われる内線電話機２の使用者が電話機をオンフック（通話切断）すると、そのオンフック情報が内線制御手段１５によって受信され（Ｓ２２）、内線制御手段１５により制御手段１８に通知される（Ｓ２３）。制御手段１８は、リダイヤルテーブル１７ａのうち外線発信した内線電話機に対応した領域への記憶データのダイヤルテーブル書き込み処理を終了し（Ｓ２４）、また外線制御手段１６に回線切断要求を通知し（Ｓ２５）、外線制御手段１６はデジタル電話回線の制御チャネルに通じてデジタル電話回線網に回線切断要求を送信する（Ｓ２６）。
【００４９】
なお、Ｓ３，Ｓ８、Ｓ１３、Ｓ１９でリダイヤルテーブル１７ａにダイヤル情報を直接登録することとして説明したが、これらの段階では、一旦、一時的な記憶手段に記憶しておき、Ｓ２４の段階で、一時記憶手段に記憶した情報をリダイヤルテーブル１７ａに書き込むようにしてもよい。
【００５０】
また、回線接続応答検出手段１６ｃがデジタル電話回線からの回線接続応答を検出した後にダイヤル受信手段１５ａによりダイヤル信号を受信したダイヤル情報を、ダイヤル情報記憶制御手段１８ｂによりリダイヤルテーブル１７ａに記憶しないようにダイヤル記憶条件記憶手段１７ｃに設定されている場合、ダイヤル情報記憶制御手段１８ｂによるＳ１３、Ｓ１９の処理は行われず、Ｓ８またはＳ１３の段階でリダイヤルテーブル１７ａの書き込みを終了することになる。
【００５１】
さらに、アナログ外線インターフェイス１１からの発信であっても、電話回線網から回線接続応答を通知されるような場合、例えば、電話回線の極性反転により回線接続応答を通知するようなアナログ電話回線網への発信であった場合、デジタル外線インターフェイス１２から発信した場合と同様の動作を行うようにすることも可能である。
【００５２】
次に内線電話機のリダイヤル発信の動作について図３のシーケンスチャートを用いて説明する。
【００５３】
内線電話機２の使用者が、内線電話機２に配置されたリダイヤルボタン（図示せず）を操作した場合、そのリダイヤルボタンが押下された旨の情報が内線インターフェイス１３を介して、内線制御手段１５で受信される（Ｓ３０）。内線制御手段１５はリダイヤル要求情報を、リダイヤルボタンを押下した内線番号の情報とともに制御手段１８のリダイヤル制御手段１８ｃに通知する（Ｓ３１）。リダイヤル制御手段１８ｃは、リダイヤルテーブル１７ａから、通知された内線番号（電話機番号）に対応する捕捉手段の情報を取り出し、その捕捉手段に従って、外線インターフェイスを選択し、外線制御手段１６に対し、外線捕捉要求を通知する（Ｓ３２）。外線制御手段１６は外線捕捉要求が通知されると電話回線に対し、捕捉要求を行う（Ｓ３３）。なお、この捕捉要求は、アナログ外線インターフェイス１１の場合には、ＤＣループを形成する（オフフック）ことにより行い、デジタル外線インターフェイス１２の場合には、捕捉要求（オフフック信号）を制御チャネルにのせてデジタル電話回線網に送信することにより行われる。
【００５４】
電話回線を捕捉後、リダイヤルテーブル１７ａは、リダイヤルテーブル１７ａからリダイヤルデータから、相手ダイヤル情報（マーク情報があれば、マーク情報までの番号情報）を取り出し、外線制御手段１６に通知する（Ｓ３４）。相手ダイヤル情報の通知を受けた外線制御手段１６は、電話回線を捕捉した外線インターフェイスが、デジタル外線インターフェイス１２の場合には、第１のダイヤル送出手段１６ａを動作させ、デジタル外線インターフェイス１２を介して、相手先ダイヤル情報をデジタル電話回線の制御チャネルにのせて出力し、アナログ外線インターフェイス１１の場合、第２のダイヤル送出手段１６ｂを動作させ、相手先ダイヤル情報をＤＴＭＦ信号に変換して、アナログ外線インターフェイス１１を介して、アナログ電話回線に出力する（Ｓ３５）。なお、アナログ外線インターフェイス１１を捕捉している場合には、所定時間ダイヤル情報が内線電話機２から受信されないと判定したときには、内線電話機２からダイヤル送信が終了（電話番号の入力が終了）したと判断し、リダイヤルテーブル１７ａへの登録を終了し、後述のＳ３８、Ｓ３９、Ｓ４３のステップの処理を行い、内線電話機２の表示手段に通話開始の表示を行う。
【００５５】
相手番号ダイヤルの出力が終了し、相手先の電話機が内線電話機２からの発信に応答した場合、相手先への発信がデジタル外線インターフェイス１２からの発信であれば、デジタル電話回線の制御チャネルにデジタル回線網から回線接続応答が通知され、回線接続応答検出手段１６ｃにて受信される（Ｓ３６）。そして、回線接続応答検出手段１６ｃからその回線接続応答の情報が制御手段１８に通知される（Ｓ３７）。回線接続応答の情報の通知を受けた制御手段１８は、内線制御手段１５に対し、通話開始の表示を行うように要求し（Ｓ３８）、内線制御手段１５は内線電話機２の表示手段に表示すべき情報（通話開始の情報）を内線電話機２に送信し、内線電話機２は送信された情報に従って表示手段に通話開始の表示を行う（Ｓ３９）。
【００５６】
そして、回線接続応答の情報の通知を受けた制御手段１８は、リダイヤル制御手段１８ｃを動作させ、リダイヤルテーブル１７ａにリダイヤル実行中の内線電話機２のリダイヤルデータにマーク情報があるかどうかを判定する（Ｓ４０）。リダイヤル制御手段１８ｃはマーク情報がないと判断した場合には、リダイヤル機能の処理を終了する。また、リダイヤル制御手段１８ｃはマーク情報があると判定した場合には、リダイヤルテーブル１７ａマーク信号以降のダイヤル情報を取り出して、外線制御手段１６に通知する（Ｓ４１）。外線制御手段１６は、第２のダイヤル送出手段１６ｂを動作させ、ダイヤル情報をＤＴＭＦ信号に変換して、アナログ外線インターフェイス１１を介して、アナログ電話回線に出力する（Ｓ４２）。
【００５７】
なお、デジタル電話回線から回線接続応答の通知を受けた（Ｓ３６）あと、ＤＴＭＦ信号を出力する（Ｓ４２）までの時間は、タイミング設定手段１８ｄ  により自由に設定可能である。なお、タイミング設定手段１８ｄは、内線電話機２や構内交換機１に接続したコンピュータ装置（図示せず）からの入力により設定を行うことができる。
【００５８】
また、アナログ外線インターフェイス１１からの発信の場合、原則としてマーク情報以降のダイヤル情報は電話回線に出力されないことになるが、別途、内線電話機２のマーク情報以降のダイヤル情報の出力を促すボタンを設けるようにしてもよい。この場合、リダイヤル制御手段１８ｃは、記憶手段に記憶したダイヤル情報のうちマーク情報（本発明の実施の形態１の所定の情報）より前に記録したダイヤル情報をアナログ外線インターフェイスから出力した後、内線電話機２からマーク情報以降に記録したダイヤル情報の出力を促すボタンの押下情報が内線制御手段１５から通知されると、マーク情報以降のダイヤル情報を出力することになる。
【００５９】
さらに、アナログ外線インターフェイス１１からの発信であっても、電話回線網から回線接続応答を通知されるような場合、例えば、電話回線の極性反転により回線接続応答を通知するようなアナログ電話回線網への発信であった場合、デジタル外線インターフェイス１２から発信した場合と同様の動作を行うようにすることも可能である。
【００６０】
なお、リダイヤル制御手段１８ｃは、制御手段１８でなく、外線制御手段１６の機能実現手段として設けられていてもよく、リダイヤル制御手段１８ｃを制御手段１８と外線制御手段１６とにまたがった機能実現手段としてもよい。
【００６１】
また、リダイヤルテーブル１７ａに登録されたリダイヤルデータは、内線電話機２の所定操作で構内交換機１に要求することにより、リダイヤルテーブル１７ａから取り出して、内線電話機２の表示手段に表示させることができる。また、内線電話機２に設けられた操作手段（図示せず）の操作により、表示手段に表示させたリダイヤルデータを、電話帳１７ｂに登録させるように構内交換機１に要求することができ、この要求を受け取った構内交換機１は、登録要求があったリダイヤルデータをリダイヤルテーブル１７ａから取り出して、電話帳１７ｂの所定領域に登録することができる。
【００６２】
【発明の効果】
本発明の電話装置と構内交換機によれば、ダイヤル発信の相手先電話装置が、着信応答後にパーソナルＩＤ等をＤＴＭＦ信号にて入力することが必要とされるような場合においても、その電話装置に対しパーソナルＩＤ等を含めたリダイヤルを適切に行うことができる。また、回線接続応答後にダイヤル情報を入力することがない内線電話機の利用者は、回線接続応答を検出した後のダイヤル情報をリダイヤルテーブルに登録しないように内線電話機を設定しておけば、誤ってダイヤル情報が入力されても、リダイヤル時にそのダイヤルが送信されることがない。
【図面の簡単な説明】
【図１】本発明の実施の形態１における構内交換機の構成図
【図２】本発明の実施の形態１における構内交換機のリダイヤルテーブルの内容を示す図
【図３】本発明の実施の形態１における構内交換機におけるリダイヤル情報の記憶時の動作を示すシーケンスチャート
【図４】本発明の実施の形態１における構内交換機におけるリダイヤル発信時の動作を示すシーケンスチャート
【符号の説明】
１  構内交換機
２  内線電話機
１１  アナログ外線インターフェイス
１２  デジタル外線インターフェイス
１３  内線インターフェイス
１４  スイッチ手段
１５  内線制御手段
１５ａ  ダイヤル受信手段
１６  外線制御手段
１６ａ  第１のダイヤル送出手段
１６ｂ  第２のダイヤル送出手段
１６ｃ  回線接続応答検出手段
１７  記憶手段
１７ａ  リダイヤルテーブル
１７ｂ  電話帳
１７ｃ  ダイヤル記憶条件記憶手段
１８  制御手段
１８ａ  スイッチ制御手段
１８ｂ  ダイヤル情報記憶制御手段
１８ｃ  リダイヤル制御手段
１８ｄ  タイミング制御手段
【図１】
2004282337.tif 000003
【図２】
2004282337.tif 000004
【図３】
2004282337.tif 000005
【図４】
2004282337.tif 000006